(57)【要約】【課題】  操作部材の移動方向と操作部材の移動操作により選択される複数の項目との関係を表示手段により表示しないものであっても、操作部材の移動方向と操作部材の移動操作により選択される複数の項目との関係を、操作者に提示することができる入力表示装置の提供。【解決手段】  ＬＣＤ３１（表示手段）にカーエアコン１００の３つの設定項目、すなわち風量、温度および吹出口を表示する表示エリア４０〜４２を設け、表示エリア４０〜４２の周囲にリング型セグメント４３〜４５を設け、リング型セグメント４３〜４５のそれぞれを分断して形成したスペースに、三角セグメント４６〜４９を設けた。３つの設定項目のうちのいずれか１つが選択されたとき、選択された設定項目の周囲のリング型セグメントおよび三角セグメントを発色させ、三角セグメントによって他の設定項目を選択するためのノブ６の操作方向を指示した。【選択図】図１
2005301901.tif 000002
【特許請求の範囲】
【請求項１】
手動で移動操作される操作部材と、この操作部材の移動を検出する検出手段と、前記操作部材の移動操作により選択可能な複数の項目を表示するとともに、選択された項目を識別可能に表示する表示面を有する表示手段と、前記検出手段により検出された前記操作部材の移動に応じて項目選択を行うとともに前記表示手段を制御する制御手段とを備える入力表示装置であって、
選択された項目以外の項目を選択するための前記操作部材の操作方向を指示する印が表示される印表示部が、前記表示面に設けられ、
複数の項目のいずれか１つが選択されたときに前記印を表示させる制御を行うよう前記制御手段が設定されたことを特徴とする入力表示装置。
【請求項２】
請求項１記載の発明において、
選択された項目を識別可能に表示することが、選択された項目の周囲にのみ枠を表示することであり、
前記印表示部が、前記枠の一部を分断して形成されたスペースに配置されることを特徴とする入力表示装置。
【発明の詳細な説明】
【技術分野】
【０００１】
本発明は、移動操作される操作部材と、この操作部材の移動操作により選択可能な項目を表示する表示手段とを備える入力表示装置に関する。
【背景技術】
【０００２】
従来の入力表示装置は、手動で移動操作される操作部材と、この操作部材の移動方向を検出する検出手段と、操作部材の移動操作により選択可能な複数の項目を表示する表示面を有する表示手段と、検出手段により検出された操作部材の移動操作に応じて表示手段を制御する制御手段とを備えている。
【０００３】
操作部材は、ダッシュボードに設置される筐体の板部から突出しており、中立位置から８方向へ移動操作できるようになっている。表示手段は、カーナビゲーションシステムやテレビに使用される表示装置からなる。
【０００４】
表示装置の表示面には、操作部材の移動操作により選択可能な複数の項目として、８種類の車載用電気機器、すなわちカーナビゲーションシステム、テレビ、カーエアコン、ラジオ、ＣＤプレイヤ、Ｅ−ｍａｉｌ、電話およびカメラが、文字列で表示されるようになっている。
【０００５】
この表示面には、操作部材の軸を示す円と、この円を中心とする８箇所のそれぞれに配置され、８つの移動方向のそれぞれを１頂点により示す三角印とを表示することによって、操作部材が中立位置から８方向へ移動操作できることが表示されているようになっている。さらに、表示面には、８つの車載用電気機器のそれぞれの名称を示す各文字列を前記各三角印付近に配置することによって、８方向のそれぞれへの移動操作により前記８種類の車載用電気機器のそれぞれを選択できることが表示されるようになっている。
【０００６】
つまり、従来の入力表示装置では、表示手段としてカーナビゲーションシステムやテレビに使用される表示装置を備え、この表示装置に、操作部材の移動方向と操作部材の移動操作により選択される８項目との関係が表示されるようになっている。
【特許文献１】特開２００２−１４９３２４号公報
【発明の開示】
【発明が解決しようとする課題】
【０００７】
上述した従来の入力表示装置では、表示手段として、カーナビゲーションシステムやテレビに使用される表示装置を備えているので、表示面が大きい。したがって、操作部材の移動方向と操作部材の移動操作により選択される複数の項目との関係を表示することができる。この結果、操作部材の移動方向と操作部材の移動操作により選択される複数の項目との関係を、操作者に理解させることができる。
【０００８】
しかし、入力表示装置には、カーナビゲーションシステムやテレビに使用される表示装置ではない別の表示手段を備えるものがあり、この表示手段の表示面が小さすぎて、操作部材の移動方向と操作部材の移動操作により選択される複数の項目との関係を表示できないものがある。つまり、操作部材の移動方向と操作部材の移動操作により選択される複数の項目との関係が表示できないために、操作部材の移動方向と操作部材の移動操作により選択される複数の項目との関係を、操作者に提示することができないという問題があった。
【０００９】
本発明は、前述の実状を考慮してなされたものであり、その目的は、操作部材の移動方向と操作部材の移動操作により選択される複数の項目との関係を表示手段により表示しないものであっても、操作部材の移動方向と操作部材の移動操作により選択される複数の項目との関係を、操作者に提示することができる入力表示装置を提供することにある。
【課題を解決するための手段】
【００１０】
前述の目的を達成するために、本発明は、次の〔１〕，〔２〕ように構成してある。
【００１１】
〔１〕  本発明は、手動で移動操作される操作部材と、この操作部材の移動を検出する検出手段と、前記操作部材の移動操作により選択可能な複数の項目を表示するとともに、選択された項目を識別可能に表示する表示面を有する表示手段と、前記検出手段により検出された前記操作部材の移動に応じて項目選択を行うとともに前記表示手段を制御する制御手段とを備える入力表示装置であって、
選択された項目以外の項目を選択するための前記操作部材の操作方向を指示する印が表示される印表示部が、前記表示面に設けられ、複数の項目のいずれか１つが選択されたときに前記印を表示させる制御を行うよう前記制御手段が設定されたことを特徴とする。なお、印とは、１頂点により方向を指示可能な形状、例えば矢印や三角印である。
【００１２】
このように構成した本発明では、複数の項目のいずれか１つが選択されたとき、選択された項目が他の項目とは異なる表示形態で表示面に表示されるとともに、選択された項目以外の項目を選択するための操作部材の操作方向を指示する印が表示面に表示される。このとき、操作者は、操作部材の移動方向と操作部材の移動操作により選択される複数の項目との関係を、印が指示する方向から連想することができる。つまり、操作部材の移動方向と操作部材の移動操作により選択される複数の項目との関係を、印が指示する方向によって提示することができる。
【００１３】
〔２〕  本発明は、〔１〕記載の発明において、選択された項目を他の項目とは異なる形態で表示することが、選択された項目の周囲にのみ枠を表示することであり、前記印表示部が、前記枠の一部を分断して形成されたスペースに配置されることを特徴とする。
【００１４】
このように構成した本発明では、隣接する枠間の間隔寸法により印の大きさを制限される度合が枠の外周側に印を設ける場合よりも小さいので、印を大型化しやすい。これにより、印の大きさを確保しつつ、表示面を小型化できる。
【発明の効果】
【００１５】
前述のように、本発明によれば、操作部材の移動方向と操作部材の移動操作により選択される複数の項目との関係を、印が指示する方向によって提示することができる。この結果、操作部材の移動方向と操作部材の移動操作により選択される複数の項目との関係を、操作者に理解させることに貢献できる。
【発明を実施するための最良の形態】
【００１６】
以下で、本発明の入力表示装置の一実施形態を図１〜６を用いて説明する。
【００１７】
図１は、本発明の入力表示装置の一実施形態が備えられる操作装置を示す正面図、図２は、図１に示す操作装置の分解斜視図、図３は、図１のIII−III断面図、図４は、図１のIV−IV断面図、図５は、図４のV−V断面図、図６は、図１に示す操作装置のシステム構成を示すブロック図である。
【００１８】
本実施形態は、図１に示す操作装置１に備えられている。この操作装置１は、車載用電気機器、例えばカーエアコン１００（図６参照）を操作するものである。本実施形態は、入力装置として力覚付与型入力装置２を備え、出力装置として表示装置３０（表示手段）を備えている。
【００１９】
＜１＞  操作装置１の構成
操作装置１は、前記力覚付与型入力装置２と、カーエアコン１００の設定項目、例えば風量、温度および吹出口のそれぞれの設定状態を表示する表示装置３０と、力覚付与型入力装置５と表示装置３０を制御するとともに、カーエアコン１００に指令信号を出力する制御装置６０とを備えている。
【００２０】
図１において、６は、力覚付与型入力装置５に備えられるノブであり、３１は、表示装置３０に備えられ、カーエアコン１００の風量、温度、吹出口の設定状態を表示するＬＣＤである。操作装置１は、ノブ３がＬＣＤ３１の下方に配置されるとともに筐体２から水平方向に突出するよう自動車のダッシュボード（図示せず）に設置してある。
【００２１】
＜１．１＞  力覚付与型入力装置の構成
力覚付与型入力装置５の構成について、図２〜５を用いて説明する。
【００２２】
力覚付与型入力装置５は、筐体２を備えている。この筐体２は、表側ケース３と裏側ケース４とをスナップ結合してなる。表側ケース３の表側の板部には、手動で回転操作、および所定方向への移動操作、すなわち左右方向へ傾倒操作される前記ノブ６を配置してある。
【００２３】
筐体２内には、モータ８と、このモータ８の出力軸に取付けられ、出力軸から出力される回転力を増大して出力する遊星歯車機構部９とを、カバー１０で覆って一体化したエンジン７を収容してある。
【００２４】
遊星歯車機構部９は、モータ８の出力軸に固定されこの出力軸と一体で回転するサンギア９Ａと、このサンギア９Ａを中心に公転する３つのプラネットギア９Ｂと、カバー１０の内壁面に形成されプラネットギア９Ｂに内周側で噛合うリングギア９Ｃと、各プラネットギア９Ｃの回転軸が設けられプラネットギア９Ｃの公転に伴って回転するキャリア９Ｄとを備えている（図５参照）。
【００２５】
エンジン７は、エンジン７の前側に装着され円筒部１２Ａを有する前側エンジンカバー１２と、エンジン７の後側に装着され前側エンジンカバー１２とスナップ結合する後側エンジンカバー１３とによって覆ってある。
【００２６】
前側エンジンカバー１２の円筒部１２Ａの内周側には、キャリア９Ｄの出力軸が配置され、円筒部１２Ａの外周側には、ノブ６の回転をガイドするガイド部材１４を摺動可能に嵌合してある。ガイド部材１４の前端面の中央には、ノブ６にスナップ結合するノブホルダ１５を配置してある。ノブホルダ１５と、ガイド部材１４と、キャリア９Ｄは、ねじ１６により締結してある。
【００２７】
つまり、力覚付与型入力装置５では、ノブホルダ１５、ガイド部材１４、前側エンジンカバー１２、遊星歯車機構部９および後側エンジンカバー１３によって結合されたノブ６とモータ８の結合体１６を構成してあるとともに、ノブホルダ１５、ガイド部材１４および遊星歯車機構部９を介して、ノブ６とモータ８との間で回転力の伝達が行われるようにしてある。
【００２８】
前側エンジンカバー１２の前端面には、Ｏリング１７を嵌め込んであり、前側エンジンカバー１２の円筒部１２Ａの外周と、ガイド部材１４の内周との間にはグリース（図示せず）を充填してある。
【００２９】
前記エンジン１１には、操作部６の回転角度、すなわち、モータ８の出力軸の回転角度を検出し、検出した回転角度に相応する回転角度信号を出力するロータリエンコーダ１８（図６参照）を付設してある。このロータリエンコーダ１８は、図示省略してあるが、コード板およびフォトセンサを備え、フォトセンサはカバー１０に形成された箱状部１０Ａに収容してある。
【００３０】
また、力覚付与型入力装置５は、結合体１６を水平方向（図１における左右方向）にのみ傾倒可能に支持する支持手段を備えている。この支持手段は、例えば、前側エンジンカバー１２の上部と下部から突出する一対の傾倒軸１９と、裏側ケース４の内部に設けられ、傾倒軸１９が回転可能に挿入される軸孔２０Ａを有する一対の舌片２０とから構成してある。なお、支持手段は、前側エンジンカバー１２に軸孔を設け裏側ケース４に傾倒軸を設けて構成したものでもよい。
【００３１】
また、裏側ケース４には、第１回路基板２１をねじ２２により固定してある。この第１回路基板２１の前面の左右側部には、第１，第２検出スイッチ２３Ａ，２３Ｂを設けてある。これら第１，第２検出スイッチ２３Ａ，２３Ｂは、前後方向に往復動可能に設けられる駆動部材１２３Ａと、この駆動部材１２３Ａの往復動に伴って接触・離間する可動接点（図示せず）および固定接点（図示せず）と、駆動部材１２３Ａを復帰させる弾性部材（図示せず）とを備えている。前側エンジンカバー１２の両側部には、結合体１６の傾倒に伴って第１検出スイッチ２３Ａの駆動部材１２３Ａ、第２スイッチ２３Ｂの駆動部材１２３Ａを操作する第１，第２操作片２４Ａ，２４Ｂを突出させてある。
【００３２】
つまり、力覚付与型入力装置５では、第１，第２検出スイッチ２３Ａ，２３Ｂと操作片２４Ａ，２４Ｂとによって、結合体１６の傾倒方向を検出する傾倒検出手段、および、結合体１６を中立位置に復帰させる復帰手段の両方を構成してある。
【００３３】
第１回路基板２１には、ロータリエンコーダ１８により検出される回転角度に応じたクリック感触等の力覚がノブ６に発生するようモータ８を制御する制御手段を設けてある。この制御手段は、ロータリエンコーダ１８により検出される回転角度に応じたモータ８の回転力を算出し、この回転力に相応する指令信号を出力する制御装置６０（図６参照）と、この制御装置６０からの指令信号に応じてモータ８を駆動させるモータドライバ６５とから構成してある。
【００３４】
制御装置６０は、モータドライバ６５に指令を出力する他に、第１，第２検出スイッチ２３Ａ，２３Ｂにより検出される傾倒方向と、ロータリエンコーダ１８により検出される回転角度とに応じてカーエアコン１００に対する指令値を算出し、この指令値に相応する指令信号を通信ドライバ６８を介してカーエアコン１００に出力するものでもある。
【００３５】
なお、表側ケース３には、ノブホルダ１５とガイド部材１４との結合部１６Ａが配置されるとともに、結合体１６の傾倒に伴う結合部１６Ａの移動を許容する横長孔３Ａを形成してある。この横長孔３Ａの周囲には、ノブ６が傾倒可能な方向を示す意匠部、すなわち、表側ケース３に形成される左右方向に長い凹部３Ｂを設けてある。
【００３６】
また、裏側ケース４および第１回路基板２１それぞれには、傾倒軸１９よりも後方に位置する結合体１６部分が配置されるとともに、結合体１６の傾倒を許容する収納部４Ａおよび開口部２１Ａのそれぞれを形成してある。
【００３７】
＜１．２＞  表示装置３０の構成
表示装置３０について、図１，２を用いて説明する。
【００３８】
表示装置３０は、力覚付与型入力装置５と同一の筐体２に収容されている。表側ケース３には、ＬＣＤ３１の表面（表示面）を露呈させる窓部３Ｅを形成してある。この窓部３Ｅは、操作部６が配置される凹部３Ｂの正面視形状と似せてある。つまり、窓部３Ｅは、凹部３Ｂと同様に、左右方向に長く形成するとともに両端部を半円形状に形成して、窓部３Ｅの端部輪郭形状と凹部３Ｂの端部輪郭形状を略相似形にしてある。表側ケース３の略上半分は、窓部３Ｅが形成された枠部３Ｇとなっており、枠部３Ｇの内周には傾斜部３Ｆを形成してある。窓部３Ｅは、枠部３Ｇとによって表側ケース３の内方へ凹む凹部を形成している。また、表側ケース３には、窓部３Ｅと凹部３Ｂとを連続させる溝３Ｈを形成してある。
【００３９】
筐体２内には、ＬＣＤ３１と、このＬＣＤ３１の端子３１Ａが接続される第２回路基板３２と、ＬＣＤ３１が嵌合され第２回路基板３２に固定されるＬＣＤホルダ３４とを収容してある。第２回路基板３２は、表側ケース３にねじ３３により締結してある。第２回路基板３２には、ＬＣＤ３１を駆動させるＬＣＤ駆動部６６（図６参照）を設けてある。このＬＣＤ駆動部６６は、制御装置６０からの指令信号に応じてＬＣＤ３１を駆動させるものである。制御装置６０は、第１，第２検出スイッチ２３Ａ，２３Ｂにより検出される傾倒方向と、ロータリエンコーダ１８により検出される回転角度とに応じてＬＣＤ駆動部６６に対する指令値を算出し、この指令値に相応する指令信号をＬＣＤ駆動部６６に出力するようにしてある。つまり、第１検出スイッチ２３Ａおよび第２検出スイッチ２３Ｂにより検出されるノブ６の揺動に応じてＬＣＤ３１を制御する制御手段を、制御装置６０とＬＣＤ駆動部６０とから構成してある。
【００４０】
ＬＣＤホルダ３４の一方の側端部、例えば右側端部には、赤色ＬＥＤ３５Ａ、青色ＬＥＤ３５Ｂおよび緑色ＬＥＤ３５Ｃを取り付ける光源取付孔３６Ａ〜３６Ｃを設けてある。ＬＥＤ３５Ａ〜３５Ｃは、第２回路基板３２にリード線を介して電気的に接続される。この第２回路基板３２には、ＬＥＤ３５Ａ〜３５Ｃを制御するＬＥＤ駆動部６７を設けてある。ＬＥＤ駆動部６７は、前述の制御装置６０からの指令信号に応じてＬＥＤ３５Ａ〜３５Ｃのそれぞれを制御するものである。
【００４１】
ＬＣＤホルダ３４の底面全体には、光を反射する反射板３７を貼り付けてある。この反射板３７とＬＣＤ３１の間には、ＬＥＤ３５Ａ〜３５Ｃから放たれた光、および、反射板３７により反射された光を、ＬＣＤ３１の裏面側に導く導光板３８と、この導光板３８により導かれた光をＬＣＤ３１の裏面に対して均一に拡散する３枚の拡散シート３９Ａ〜３９Ｃをと配置してある。
【００４２】
表側ケース３の窓３Ｅから露出するＬＣＤ３１の表面部分には、風量の設定状態を示す風量表示エリア４０と、温度の設定状態を示す温度表示エリア４１と、および吹出口の設定状態を示す吹出口表示エリア４２とを設けてある。
【００４３】
風量表示エリア４０には、ファン型セグメント４０Ａと、このファン型セグメント４０Ａを囲む６つの円弧型セグメント４０Ｂ〜４０Ｇとを表示可能にしてある。つまり、風量０、すなわちカーエアコン１００の停止状態が、ファン型セグメント４０Ａのみの発色により表示されるとともに、風量の大きさが、円弧型セグメント４０Ｂのみの発色、円弧型セグメント４０Ｂ，４０Ｃの発色、円弧型セグメント４０Ｂ〜４０Ｄの発色、円弧型セグメント４０Ｂ〜４０Ｅの発色、円弧型セグメント４０Ｂ〜４０Ｆの発色、および、円弧型セグメント４０Ｂ〜４０Ｇの発色の６段階で表示されるようにしてある。
【００４４】
温度表示エリア４１には、２桁の数字４１Ａを形成可能な複数のセグメントを表示可能にしてあり、温度の設定値が数字４１Ａによって１６℃〜３０℃の範囲で１℃刻みに表示されるようにしてある。
【００４５】
吹出口表示エリア４２には、人型セグメント４２Ａと、この人型セグメント４２Ａの上方へ延びる矢印型セグメント４２Ｂと、人型セグメント４２Ａの中間に延びる矢印型セグメント４２Ｃと、人型セグメント４２Ａの下端部へ延びる矢印型セグメント４２Ｄとを表示可能にしてある。つまり、フロントガラスへ向かって送風を行うためのＤＥＦ吹出口に設定された状態が、矢印型セグメント４２Ｂの発色により表示され、運転者の胴側へ向かって送風を行うためのＶＥＮＴ吹出口に設定された状態が、矢印型セグメント４２Ｃの発色により表示され、足元へ向かって送風を行うためのＦＬＯＯＲ吹出口に設定された状態が、矢印型セグメント４２Ｄの発色により表示されるようにしてある。
【００４６】
また、風量表示エリア４０の周囲、温度表示エリア４１の周囲および吹出口表示エリア４２の周囲のそれぞれには、枠を表示する枠表示部、すなわちリング型セグメント４３〜４５のそれぞれを設けてある。つまり、３つの設定項目のうちの風量が選択されたことがリング型セグメント４３の発色により形成される枠によって表示され、温度が選択されたことがリング型セグメント４４の発色により形成される枠によって表示され、吹出口が選択されたことがリング型セグメント４５の発色により形成される枠によって表示されるようにしてある。
【００４７】
また、リング型セグメント４４の右側部には、１頂点が右方を向いた三角印を表示する印表示部、すなわち三角セグメント４６を設けてある。リング型セグメント４５の左側部には、１頂点が左方を向いた三角印を表示する印表示部、すなわち三角セグメント４７を設けてあり、右側部には１頂点が右方を向いた三角印を表示する印表示部、すなわち三角セグメント４８を設けてある。リング型セグメント４５の左側部には、１頂点が左方を向いた三角印を表示する印表示部、すなわち三角セグメント４９を設けてある。
【００４８】
＜１．３＞  制御装置６０の構成
制御装置６０の構成について、図６を用いて説明する。
【００４９】
制御装置６０は、ＣＰＵ６１、ＲＯＭ６２およびＲＡＭ６３、およびＥＥＰＲＯＭ６４、および通信ドライバ６８を備えている。この制御装置６０は、前述したように、第１，第２検出スイッチ２３Ａ，２３Ｂからの検出信号と、ロータリエンコーダ１８からの回転角度信号に応じて、モータドライバ６５に対する指令値、ＬＣＤ駆動部６６に対する指令値、ＬＥＤ駆動部６７に対する指令値、およびカーエアコン１００に対する指令値のそれぞれに相応する指令信号を出力するものである。
【００５０】
ＣＰＵ６１は、第１，第２検出スイッチ２３Ａ，２３Ｂからの検出信号と、ロータリエンコーダ１８からの回転角度信号とに応じて、モータドライバ６５、ＬＣＤ駆動部６６、ＬＥＤ駆動部６７およびカーエアコン１００のそれぞれに対する指令値のそれぞれを算出するための演算や、制御装置６０の全体を制御するための演算を行う演算装置である。
【００５１】
ＲＯＭ６２は、自動車のエンジンの起動に連動させて操作装置１を起動する起動プログラムと、ロータリエンコーダ１８により検出される回転角度信号と第１，第２検出スイッチ２３Ａ，２３Ｂにより検出される操作部６の傾倒方向とに応じてモータドライバ６５に対する指令信号、ＬＣＤ駆動部６６に対する指令信号、ＬＥＤ駆動部６７に対する指令信号、およびカーエアコン１００に対する指令信号のそれぞれを出力するためのプログラムのそれぞれとを記憶する読込専用の記憶装置である。なお、起動プログラムでは、温度の設定状態を変更可能な状態（温度設定モード）となるようにしてしてある。
【００５２】
ＲＡＭ６３は、ＣＰＵ６１による演算処理中の値を一時的に記憶する記憶装置である。
【００５３】
ＥＥＰＲＯＭ６４は、記憶内容の変更が可能な記憶装置であって、風量、温度および吹出口のそれぞれの設定状態に対応するＬＣＤ駆動部６６に対する指令値、ＬＥＤ駆動部６７に対する指令値、およびカーエアコン１００に対する指令値等を記憶するものである。
【００５４】
＜２＞  操作装置１の動作
操作装置１の動作について説明する。
【００５５】
＜２．１＞  操作装置１の起動時
操作装置１は、自動車のエンジンの起動に連動して起動し、温度設定モードとなる。
【００５６】
このとき、温度表示エリア４１では、例えば数字４１Ａが「２２」となり、温度の設定値が２２℃であることが表示される。また、ＬＣＤ３１の風量表示エリア４０には、ファン型セグメント４０Ａのみの発色によって風量０が表示され、吹出口表示エリア４２には、矢印型セグメント４２Ｃの発色によってＶＥＮＴ吹出口に設定されていることが表示される。
【００５７】
また、温度表示エリア４１の周囲のリング型セグメント４４および三角セグメント４７，４８が発色し、風量表示エリア４０の周囲のリング型セグメント４３および三角セグメント４６、吹出口表示エリア４２の周囲のリング型セグメント４５および三角セグメント４９は発色しない。つまり、温度設定モードであることがリング型セグメント４４によって表示され、ノブ６の左右方向への傾倒操作により風量設定モードや吹出口設定モードに切換可能であることが三角セグメント４７，４８によって表示される。
【００５８】
また、制御装置６０からＬＥＤ駆動部６７には、温度設定モードであって温度が２２℃に設定された状態に対応する指令値が与えられ、これにより、例えば赤色ＬＥＤ３５Ａと青色ＬＥＤ３５Ｂとが発光して、ＬＣＤ３１のバックライトが紫色となる。
【００５９】
＜２．２＞  温度設定時
温度の設定操作は、前述した温度設定モードにおいて、ノブ６を回転操作することにより行う。
【００６０】
ノブ６が右回転操作された場合、増加するノブ６の回転角度がロータリエンコーダ１８により検出され、その回転角度に相応する回転角度信号が制御装置６０に出力される。そして、制御装置６０によって、回転角度の増加に応じて、ＬＣＤ駆動部６６に対する指令値、ＬＥＤ駆動部６７に対する指令値、モータドライバ６５に対する指令値のそれぞれが算出され、それぞれの指令値に相応する指令信号のそれぞれが、ＬＣＤ駆動部６６、ＬＥＤ駆動部６７およびモータドライバ６５のそれぞれに出力される。
【００６１】
これにより、ＬＣＤ３１の温度表示エリア４１では、ノブ６の回転角度が所定角度増加するたびごとに、数字４１Ａの値が大きくなる。
【００６２】
また、紫色のバックライトは、ノブ６の回転角度が前記所定角度増加するたびごとに、赤色が強まり、数字４１Ａの値が温度の設定値の上限（３０℃）を示す「３０」となったときに、赤色となる。
【００６３】
また、モータ８の回転力は、ノブ６の回転角度が前記所定角度増加するたびごとに瞬間的に変化し、これにより、ノブ６にクリック感触が発生する。つまり、操作者は、温度を示す数字４１Ａの値が大きくなるたびごとにクリック感触を得る。また、温度表示エリア４１において数字４１Ａの値が「３０」となったときに、モータ８からノブ６には、右回転操作に対抗する大きな回転力が与えられ、操作者はノブ６の右回転操作を阻止される。つまり、温度の設定値が最大値（３０℃）になったことがノブ６の右回転操作の阻止（力覚）によって操作者に提示される。
【００６４】
ノブ６が左回転操作された場合、減少するノブ６の回転角度がロータリエンコーダ１８により検出され、その回転角度に相応する回転角度信号が制御装置６０に出力される。そして、制御装置６０によって、回転角度の減少に応じて、ＬＣＤ駆動部６６に対する指令値、ＬＥＤ駆動部６７に対する指令値、モータドライバ６５に対する指令値のそれぞれが算出され、それらの指令値に相応する指令信号のそれぞれが、ＬＣＤ駆動部６６、ＬＥＤ駆動部６７およびモータドライバ６５のそれぞれに出力される。
【００６５】
これにより、ＬＣＤ３１の温度表示エリア４１では、ノブ６の回転角度が所定角度減少するたびごとに、数字４１Ａの値が小さくなる。
【００６６】
また、紫色のバックライトは、ノブ６の回転角度が前記所定角度減少するたびごとに、青色が強まり、数字４１Ａが温度の設定値の下限（１６℃）を示す「１６」となっとときに、青色となる。
【００６７】
また、モータ８の回転力は、ノブ６の回転角度が前記所定角度減少するたびごとに瞬間的に変化し、これにより、ノブ６にクリック感触が発生する。つまり、操作者は、温度を示す数字４１Ａの値が小さくなるたびごとにクリック感触を得る。また、温度表示エリア４１において数字４１Ａの値が「１６」となったときに、モータ８からノブ６には、左回転操作に対抗する大きな回転力が与えられ、操作者はノブ６の左回転操作を阻止される。つまり、温度の設定値が最小値（１６℃）になったことが、ノブ６の左回転操作の阻止（力覚）によって操作者に提示される。
【００６８】
ロータリエンコーダ１８により検出される回転角度が変化せずに２秒経過すると、制御装置６０では、温度の設定操作が終了したと判定され、起動時にロータリエンコーダ１８により検出された回転角度と、操作終了時にロータリエンコーダ１８により検出された回転角度との差から、カーエアコン１００に対する指令値が算出される。そして、算出された指令値に相応する指令信号が、通信ドライバ６８によりカーエアコン１００に出力される。
【００６９】
＜２．３＞  風量設定時
風量の設定操作は、温度設定モードにおいて、ノブ６を左方向に傾倒操作して風量設定モードに切り換えた後、ノブ６を回転操作することにより行う。
【００７０】
ノブ６の左方向への傾倒操作に伴って結合体１６が左方向に傾倒すると、第１操作片２４Ａにより押ボタン２３Ａが押圧操作されて第１検出スイッチ２３ＡがＯＮし、ノブ６が左方向に傾倒操作されたことを示す検出信号が、第１検出スイッチ２３Ａから制御装置６０に出力される。そして、押ボタン２３Ａが復帰して第１検出スイッチ２３ＡがＯＦＦすると、制御装置６０への検出信号の出力が停止する。制御装置６０では、温度設定モードにおける第１検出スイッチ２３Ａからの検出信号の出力と停止を、風量設定モードに移行する旨の指令として演算処理し、これにより、操作装置１が、風量設定モードに切り換わる。
【００７１】
すると、ＬＣＤ３１の風量表示エリア４０には、前述した起動時のまま、ファン型セグメント４０Ａのみの発色によって風量０が表示され、温度表示エリア４１には、前述のようにして設定された温度の設定値が数字４１Ａにより表示され、吹出口表示エリア４２には、起動時のまま、矢印型セグメント４２Ａの発色によってＶＥＮＴ吹出口に設定されていることが表示される。
【００７２】
また、風量表示エリア４０の周囲のリング型セグメント４３と三角セグメント４６が発色し、同時に、温度表示エリア４１の周囲のリング型セグメント４４と三角セグメント４７，４８の色が消える。つまり、風量設定モードであることがリング型セグメント４３によって表示され、ノブ６の右方向への傾倒操作により温度設定モードに切換可能であることが三角セグメント４６によって表示される。
【００７３】
また、制御装置６０からＬＥＤ駆動部６７には、風量設定モードであって風量の設置値が０に設定された状態に対応する指令値が与えられ、これにより、例えば、緑色ＬＥＤ３５Ｃのみが発光して、ＬＣＤ３１のバックライトが緑色となる。
【００７４】
ノブ６が右回転操作された場合、増加するノブ６の回転角度がロータリエンコーダ１８により検出され、その回転角度に相応する回転角度信号が制御装置６０に出力される。そして、制御装置６０によって、回転角度の増加に応じて、ＬＣＤ駆動部６６に対する指令値、ＬＥＤ駆動部６７に対する指令値、モータドライバ６５に対する指令値のそれぞれが算出され、それらの指令値に相応する指令信号のそれぞれが、ＬＣＤ駆動部６６、ＬＥＤ駆動部６７およびモータドライバ６５のそれぞれに出力される。
【００７５】
これにより、ＬＣＤ３１の風量表示エリア４０では、ノブ６の回転角度が風量の設定操作時とも後述する吹出口の設定操作時とも異なる所定角度増加するたびごとに、円弧型バー４０Ｂ〜４０Ｇが、４０Ｂ，４０Ｃ，４０Ｄ，４０Ｅ，４０Ｆ，４０Ｇの順に発色する。
【００７６】
また、緑色のバックライトは、ノブ６の回転角度が前記異なる所定角度増加するたびごとに、緑色のまま明るくなり、風量表示エリア４０において円弧型セグメント４０Ｇが発色したときに、最も明るくなる。
【００７７】
また、モータ８の回転力は、ノブ６の回転角度が前記異なる所定角度増加するたびごとに瞬間的に変化し、これによりノブ６にクリック感触が発生する。つまり操作者は、円弧型セグメント４０Ｂ，４０Ｃ，４０Ｄ，４０Ｅ，４０Ｆ，４０Ｇのそれぞれが発色するたびごとにクリック感触を得る。また、風量表示エリア４０において円弧型セグメント４０Ｂ〜４０Ｇのすべてが発色して風量の上限が表示されたときに、モータ８からノブ６には、右回転操作に対抗する大きな回転力が与えられ、操作者はノブ６の右回転操作を阻止される。つまり、風量の設定値が最大値になったことが、ノブ６の右回転操作の阻止（力覚）によって操作者に提示される。
【００７８】
ノブ６が左回転操作された場合、減少するノブ６の回転角度がロータリエンコーダ１８により検出され、その回転角度に相応する回転角度信号が制御装置６０に出力される。そして、制御装置６０によって、回転角度の減少に応じて、ＬＣＤ駆動部６６に対する指令値、ＬＥＤ駆動部６７に対する指令値、モータドライバ６５に対する指令値のそれぞれが算出され、それらの指令値のそれぞれに相応する指令信号のそれぞれが、ＬＣＤ駆動部６６、ＬＥＤ駆動部６７およびモータドライバ６５のそれぞれに出力される。
【００７９】
これにより、ノブ６の左回転操作を開始した当初、例えば円弧型セグメント４０Ｄ〜４０Ｇがすべて発色していた場合、ノブ６の回転角度が前記異なる所定角度減少するたびごとに、円弧型バー４０Ｂ〜４０Ｇの色が４０Ｇ，４０Ｆ，４０Ｅ，４０Ｄ，４０Ｃ，４０Ｂの順に消える。
【００８０】
また、緑色のバックライトは、ノブ６の回転角度が前記異なる所定角度減少するたびごとに、緑色のまま暗くなり、ファン型セグメント４０Ａのみの発色により風量０が表示されたときに、最も暗くなる。
【００８１】
また、モータ８の回転力は、ノブ６の回転角度が前記異なる所定角度減少するたびごとに瞬間的に変化し、これによりノブ６にクリック感触が発生する。つまり、操作者は、円弧型セグメント４０Ｂ〜４０Ｇの色が４０Ｇ，４０Ｆ，４０Ｅ，４０Ｄ，４０Ｃ，４０Ｂの順に消えるたびごとにクリック感触を得る。また、風量表示エリア４０において風量０が表示されたときに、モータ８からノブ６には、左回転操作に対抗する大きな回転力が与えられ、操作者はノブ６の右回転操作を阻止される。つまり、風量の設定値が０になったことが、ノブ６の左回転操作の阻止によって操作者に提示される。
【００８２】
ロータリエンコーダ１８により検出される回転角度が変化せずに２秒経過すると、制御装置６０では、風量の設定操作が終了したと判定され、風量の設定操作開始時にロータリエンコーダ１８により検出された回転角度と、風量の設定操作終了時にロータリエンコーダ１８により検出された回転角度との差から、カーエアコン１００に対する指令値が算出される。そして、算出された指令値に相応する指令信号が、通信ドライバ６８によりカーエアコン１００に出力される。
【００８３】
通信ドライバ６８による指令信号の出力が終了すると、制御装置６０では、温度設定モードに移行するための演算が行われ、これにより、操作装置１は温度設定モードに戻る。
【００８４】
＜２．４＞  吹出口設定時
吹出口の設定操作は、温度設定モードにおいて、ノブ６を右方向に傾倒操作して吹出口設定モードに切り換えた後、ノブ６を回転操作することにより行う。
【００８５】
ノブ６の右方向への傾倒操作に伴って結合体１６が右方向に傾倒すると、第２検出スイッチ２３Ｂが第２操作片２４Ｂにより押ボタン２３Ａを押圧操作されてＯＮし、ノブ６が右方向に傾倒操作されたことを示す検出信号が、第２検出スイッチ２３Ｂから制御装置６０に出力される。そして、押ボタン２３Ａが復帰して第２検出スイッチ２３ＢのＯＦＦすると、制御装置６０への検出信号の出力が停止する。制御装置６０では、温度設定モードにおける第２検出スイッチ２３Ｂからの検出信号の出力と停止を、吹出口設定モードに移行する旨の指令として演算処理し、これにより、操作装置１が、吹出口設定モードに切り換わる。
【００８６】
すると、吹出口表示エリア４２には、前述した起動時のまま、矢印型セグメント４２Ｃの発色によってＶＥＮＴ吹出口が表示され、温度表示エリア４１には、前述のようにして設定された温度が表示され、ＬＣＤ３１の風量表示エリア４０には、前述ようにして設定された風量が表示されている。
【００８７】
また、吹出口表示エリア４２の周囲のリング型セグメント４５と三角セグメント４９が発色し、同時に、温度表示エリア４１の周囲のリング型セグメント４４の色と三角セグメント４７，４８の色、風量表示エリア４０の周囲のリング型セグメント４３の色と三角セグメント４６の色が消える。つまり、吹出口設定モードであることがリング型セグメント４５によって表示され、ノブ６の左方向への傾倒操作により温度設定モードに切換可能であることが三角セグメント４９によって表示される。
【００８８】
また、制御装置６０からＬＥＤ駆動部６７には、吹出口設定モードに対応する指令値が出力され、これにより、例えば吹出口の赤色ＬＥＤ３５Ａ、青色ＬＥＤ３５Ｂおよび緑色ＬＥＤのすべてが予め設定した輝度で発光して、ＬＣＤ３１のバックライトが白色となる。
【００８９】
ノブ６が回転操作されると、変化するノブ６の回転角度がロータリエンコーダ１８により検出され、その回転角度に相応する回転角度信号が制御装置６０に出力される。そして、制御装置６０によって、回転角度の変化に応じて、ＬＣＤ駆動部６６に対する指令値、ＬＥＤ駆動部６７に対する指令値、モータドライバ６５に対する指令値のそれぞれが算出され、それらの指令値のそれぞれに相応する指令信号のそれぞれが、ＬＣＤ駆動部６６、ＬＥＤ駆動部６７およびモータドライバ６５のそれぞれに出力される。
【００９０】
これにより、ＬＣＤ３１の吹出口表示エリア４２では、ノブ６の回転角度が増加した場合、温度の設定操作時とも風量の設定操作時とも異なる所定角度増加するたびごとに、発色する矢印型セグメントが４２Ｃ（ＶＥＮＴのみ）から、４２Ｄ（ＦＬＯＯＲのみ）、４２Ｂ（ＤＥＦのみ）、４２Ｂと４２Ｄの組合せ（ＤＥＦとＦＬＯＯＲ）、４２Ｃと４２Ｄ組合せ（ＶＥＮＴとＦＬＯＯＲ）の順に切り換わる。逆に、ノブ６の回転角度が減少した場合、前記異なる所定角度減少するたびごとに、発色する矢印型セグメントが４２Ｃ（ＶＥＮＴのみ）から、４２Ｃと４２Ｄ組合せ（ＶＥＮＴとＦＬＯＯＲ）、４２Ｂと４２Ｄの組合せ（ＤＥＦとＦＬＯＯＲ）、４２Ｂ（ＤＥＦのみ）、４２Ｄ（ＦＬＯＯＲのみ）の順に切り換わる。
【００９１】
また、モータ８の回転力は、ノブ６の回転角度が前記異なる所定角度変化するたびごとに瞬間的に変化し、これによりノブ６がクリック感触を発生する。つまり操作者は、発色する矢印型セグメントが、４２Ｃ（ＶＥＮＴのみ）、４２Ｄ（ＦＬＯＯＲのみ）、４２Ｂ（ＤＥＦのみ）、４２Ｂと４２Ｄの組合せ（ＤＥＦとＦＬＯＯＲ）、４２Ｃと４２Ｄ（ＶＥＮＴとＦＬＯＯＲ）の組合せのそれぞれに切り換わるときに、クリック感触を得る。
【００９２】
ロータリエンコーダ１８により検出される回転角度が変化せずに２秒経過すると、制御装置６０では、吹出口の設定操作が終了したと判定され、吹出口の設定操作開始時にロータリエンコーダ１８により検出された回転角度と、吹出口の設定操作終了時にロータリエンコーダ１８により検出された回転角度との差から、カーエアコン１００に対する指令値が算出される。そして、算出された指令値に相応する指令信号が、通信ドライバ６８によりカーエアコン１００に出力される。
【００９３】
通信ドライバ６８による指令信号の出力が終了すると、制御装置６０では、温度設定モードに移行する演算が行われ、これにより、操作装置１は温度設定モードに戻る。
【００９４】
なお、吹出口設定モードにおいて、バックライトの色と明るさは変化しない。また、モータ８はクリック感触の発生のみに使用されノブ６の回転操作は阻止されない。
【００９５】
＜３＞  本実施形態の効果
本実施形態によれば次の効果を得られる。
【００９６】
また、本実施形態では、ノブ６が傾倒可能な方向を示す意匠部として、表側ケース３に形成される左右方向に長い凹部３Ｂを形成してある。これにより、ノブ６の傾倒可能な方向が水平方向（図１における左右方向）のみであることを示すことができる。この結果、操作者がノブ６を上下方向に傾倒操作しようとすることを抑止できる。
【００９７】
また、本実施形態では、表側ケース３に形成した窓部３Ｅと凹部３Ｂとの正面視形状の端部輪郭形状が略相似形であることが、表示項目の選択と操作部６の傾倒操作とを連想させる。このため、操作者は、操作部６の傾倒操作で表示項目の選択を行うことを直感的に理解することができる。
【００９８】
また、本実施形態では、ＬＣＤ３１の表面（表示面）と枠部３Ｇとにより凹部が形成され、操作部６が表側ケース３に形成された凹部３Ｂであることが、つまり、ＬＣＤ３１の表面（表示面）が配置された部分と操作部６が配置された部分とがともに凹部であることが、表示項目の選択と操作部６の移動操作とをより強く連想させる。このため、操作者は、操作部６の移動操作で表示項目の選択を行うことを、より強く直感的に理解することができる。
【００９９】
また、本実施形態では、表側ケース３に窓３Ｅと凹部３Ｂとを連続させる溝３Ｆを形成してある。これにより、ノブ６によりＬＣＤ３１が操作できることを暗示できる。
【０１００】
また、本実施形態では、３つの設定項目、風量、温度、吹出口のいずれが選択されたかを表示するリング型セグメント４３〜４５の発色により形成される枠の形状とノブ６の正面視形状とを相似形、すなわち互いにほぼ円形にしてある。これにより、操作者は、ノブ６の傾倒方向とノブ６の傾倒操作により選択される３つの設定項目との関係を、ノブ６の輪郭形状と枠の輪郭形状とがほぼ相似形であることから連想することができる。つまり、ノブ６の傾倒方向とノブ６の傾倒操作により選択される３つの設定項目との関係を、ノブ６の輪郭形状と枠の輪郭形状とをほぼ相似形したことによって提示することができる。この結果、ノブ６の傾倒方向とノブ６の傾倒操作により選択される複数の設定項目との関係を、操作者に理解させることに貢献できる。
【０１０１】
また、本実施形態では、リング型セグメント４３〜４５の発色により形成される枠の形状とノブ６の正面視形状とを互いにほぼ円形にしてある。これにより、ノブ６を回転操作してもノブ６の輪郭形状と枠の輪郭形状との相似性が損なわれないようにすることができる。
【０１０２】
また、本実施形態では、リング型セグメント４３の右側部の三角セグメント４６、リング型セグメント４４の左右側部の三角セグメント４７，４８、リング型セグメント４５の左側部の三角セグメント４９により、他の設定項目を選択するためのノブ６の操作方向を指示するようにした。これにより、ノブ６の傾倒方向とノブ６の傾倒操作により選択される複数の設定項目との関係を、操作者に理解させることに貢献できる。
【０１０３】
また、本実施形態では、リング型セグメント４３の左側部を分断して形成したスペースに三角セグメント４６を設け、リング型セグメント４４の左右側部のそれぞれを分断して形成した各スペースに三角セグメント４７，４８のそれぞれを設け、リング型セグメント４５の右側部を分断して形成したスペースに三角セグメント４９を設けた。これにより、隣接するリング型セグメント間の間隔寸法により三角セグメント４６〜４９の大きさを制限される度合が、リング型セグメント４３〜４５の外周側に三角セグメント４６〜４９を設ける場合よりも小さいので、三角セグメント４６〜４９を大型化しやすい。この結果、三角セグメント４６〜４９の大きさを確保しつつ、ＬＣＤ３１を小型化できる。
【０１０４】
また、本実施形態では、前側エンジンカバー１２の円筒部１２Ａと、ガイド部材１４の間に充填してあるグリース（図示せず）と、Ｏリング１７とにより、回転操作されるノブ６に粘性感を発生させることができる。
【０１０５】
また、本実施形態では、温度設定モードにおいて、赤色ＬＥＤ３５Ａと青色ＬＥＤ３５Ｃのそれぞれの輝度を制御することによって、温度の設定値が大きくなるのに連動してバックライトは赤色が強まり、温度の設定値を小さくなるのに連動してバックライトは青色が強まるようにした。これにより、温度の設定値の変化をバックライトの色の変化によって示すことができる。
【０１０６】
また、本実施形態では、風量設定モードにおいて、風量の設定値が大きくなるのに連動して緑色のバックライトが明るくなり、風量の設定値を小さくなるのに連動して緑色のバックライトが暗くなるようにした。これにより、風量の設定値の変化をバックライトの明るさによって示すことができる。
【０１０７】
なお、本実施形態では、リング型セグメント４３と三角セグメント４６を別体にし、リング型セグメント４４と三角セグメント４７，４８を別体にし、リング型セグメント４５と三角セグメント４９を別体にしてあるが、本発明はこれに限るものではなく、各リング型セグメント４３〜４５のそれぞれと、三角セグメント４４，４７と４８，４９のそれぞれとを一体にしてもよい。
【０１０８】
また、本実施形態は、カーエアコン１００の操作に使用される操作装置１に設けられるものの例であったが、本実施形態はこれに限るものではなく、表示装置３０による表示内容を変えて、ＣＤプレイヤ、ラジオ、ＭＤプレイヤ等を含むオーディオ装置を操作する操作装置に適用してもよい。
【図面の簡単な説明】
【０１０９】
【図１】本発明の入力表示装置の一実施形態が備えられる操作装置の正面図である。
【図２】図１に示す操作装置の分解斜視図である。
【図３】図１のIII−III断面図である。
【図４】図１のIV−IV断面図である。
【図５】図４のV−V断面図である。
【図６】図１に示す操作装置のシステム構成を示すブロック図である。
【符号の説明】
【０１１０】
１            操作装置
２            筐体
３            表側ケース
３Ｂ          凹部
３Ｅ          窓
３Ｇ          枠部
４            裏側ケース
５            力覚付与型入力装置
６            ノブ
７            エンジン
８            モータ
９            遊星歯車機構部
１０          カバー
１２          前側エンジンカバー
１３          後側エンジンカバー
１４          ガイド部材
１５          ノブホルダ
１６          結合体
１８          ロータリエンコーダ
１９          傾倒軸
２０          舌片
２０Ａ        軸孔
２１          第１回路基板
２３Ａ        第１検出スイッチ（検出手段）
２３Ｂ        第２検出スイッチ（検出手段）
２４Ａ        操作片
２４Ｂ        操作片
３０          表示装置（表示手段）
３１          ＬＣＤ
３２          第２回路基板
３５Ａ        赤色ＬＥＤ
３５Ｂ        青色ＬＥＤ
３５Ｃ        緑色ＬＥＤ
４０          風量表示エリア
４１          温度表示エリア
４２          吹出口表示エリア
４３〜４５    リング型セグメント
４６〜４９    三角セグメント（印表示部）
６０          制御装置（制御手段）
６５          モータドライバ
６６          ＬＣＤ駆動部（制御手段）
６７          ＬＥＤ駆動部
６８          通信ドライバ
１００        カーエアコン
【図１】
2005301901.tif 000003
【図２】
2005301901.tif 000004
【図３】
2005301901.tif 000005
【図４】
2005301901.tif 000006
【図５】
2005301901.tif 000007
【図６】
2005301901.tif 000008